(57)【要約】【課題】自然光を建物の内部に導いて照明に利用する採光構造の施工を容易化し、照明位置の変更や自然光の照明の除去の場合のための工事も容易にできるようにする。【解決手段】吊下げ式工法であるシステム天井工法を用いて、天井下地部１下面に天井材８が吊下げ支持されて天井ふところ部１０が形成されている天井部に対し、天井ふところ部１０の天井下地部１下面に上部光反射面１７を、また天井材８の上面に下部光反射面１８をそれぞれ形成する。天井ふところ部１０に自然光を取り入れる採光口部１３を設け、天井部の一部に光通過天井部２０を設け、採光口部１３から天井ふところ部１０に入射した自然光を光反射面１７，１８により反射させながら建物内部に導き、この自然光を光通過天井部２０から天井材８下側の室Ｒの内部に通過させて照明として利用する。【選択図】図１
2007308989.tif 000002
【特許請求の範囲】
【請求項１】
天井下地部の下面に天井材が吊下げ支持されて該天井下地部と天井材との間に天井ふところ部が形成され、
上記天井ふところ部に自然光を取り入れる採光口部が設けられ、
上記採光口部から天井ふところ部に入射した自然光を建物内部に導くために、少なくとも天井ふところ部に面する天井下地部の下面と天井材の上面とに光反射面が形成され、
上記天井ふところ部により建物内部に導かれた自然光を天井材下側の室内に通過させる光通過天井部が設けられていることを特徴とする採光構造。
【請求項２】
請求項１の採光構造において、
光通過天井部は、一部又は全体が光透過性材料からなりかつ上面に光反射面が形成された天井材と交換可能な光透過性天井材で構成されていることを特徴とする採光構造。
【発明の詳細な説明】
【技術分野】
【０００１】
本発明は、自然光をビル等の建物の室内に導いて建物内部を照明するための採光構造に関する。
【背景技術】
【０００２】
一般に、ビルや住宅等の建物では、窓からの自然光の採光及び照明器具による照明により必要な明るさを得るようにしているが、近年、環境保護の観点から、室内照明においても省エネルギー化が求められており、そのために自然光の利用を積極的に行う方法がある。
【０００３】
この自然光を有効に利用する方法として、従来、例えば太陽光を、内面全体に光反射層が形成された筒体の光源誘導ダクトを介して室内に取り込み、照明用光源として利用する光ダクト装置が提案されている（例えば特許文献１参照）。
【０００４】
この光ダクト装置は、太陽光を光源として直接利用するため、電気等のエネルギーを使用せず、省エネルギー化に貢献することができる。
【特許文献１】特開平６−１７３３４９号公報
【発明の開示】
【発明が解決しようとする課題】
【０００５】
ところで、上記光ダクト装置を施工する場合、予め工場でダクトに組み上げた後、そのダクトを現場で取り付けて施工する工法、又は部材の状態で現場に搬入し、ダクトを組み立てて施工する工法が採用される。
【０００６】
しかしながら、工場でダクトに組み上げた後に現場で取付け施工する前者の工法では、既に組み上げているダクトの搬入及び組付けが非常に大変となる。一方、部材を現場に搬入して組立て施工する後者の工法では、部材点数が多いため、搬送及び施工に手間がかかるのは避けられない。つまり、いずれの工法でも施工上の問題がある。
【０００７】
また、光ダクト装置は一度施工してしまうと、照明位置の変更が必要となった場合や、光ダクト装置による照明そのものが不要となって除去する場合、そのための工事が非常に大掛かりになるという問題があった。
【０００８】
本発明は斯かる点に鑑みてなされたものであり、その目的は、自然光を有効に利用する採光構造に工夫を凝らすことで、その施工を容易化し、照明位置の変更や自然光の照明の除去の場合のための工事も容易にできるようにすることにある。
【課題を解決するための手段】
【０００９】
上記の目的を達成すべく、この発明では、天井の下地部と天井材との間に形成される天井ふところ部に着目し、その天井ふところ部そのものを導光用の経路として利用するようにした。
【００１０】
具体的には、請求項１の発明の採光構造では、天井下地部の下面に天井材が吊下げ支持されて該天井下地部と天井材との間に天井ふところ部が形成され、この天井ふところ部に自然光を取り入れる採光口部が設けられ、この採光口部から天井ふところ部に入射した自然光を建物内部に導くために、少なくとも天井ふところ部に面する天井下地部の下面と天井材の上面とに光反射面が形成され、上記天井ふところ部により建物内部に導かれた自然光を天井材下側の室内に通過させる光通過天井部が設けられていることを特徴とする。
【００１１】
この請求項１の発明では、自然光が採光口部から取り入れられて天井ふところ部に入射し、この自然光は天井ふところ部内をその周囲上面である天井下地部下面と周囲下面である天井材上面との各光反射面に反射されながら建物内部に導かれた後、光通過天井部を経て天井材下側の室内に通過する。このことで、天井ふところ部が自然光を建物内に導くための導光経路の役割を果たすことになり、別途に光ダクト装置を設置する必要がなく、施工の工期が短くなる。また、別途に光ダクト装置を設置する場合のように、その光ダクト装置が天井ふところ部に空調ダクト等の他の機器や部材を設置する際の邪魔になるのを回避でき、さらにコストも抑えることができる。
【００１２】
また、室内の照明を設けたい位置の天井部に光通過天井部を設けることにより、その光通過天井部を通過した自然光を室内の主照明又は補助照明として利用することができる。そして、自然光が強く降り注ぐ晴れの日の昼間等の時間帯においては電球等の人工照明の使用を減らすことができ、省エネルギー化につながる。さらに、通常は自然光が入り込まない建物内部の部屋においても自然光を導入して照明することができるため、人の生体リズムにあった照明を行うことができる。
【００１３】
さらには、天井材を吊り下げて天井ふところ部を形成するという吊下げ式の工法であるシステム天井工法を用いているため、レイアウトの変更や、夏場に室内に光が入り込む量を減らして冷房効果を高めたい場合等、照明箇所の変更や照明箇所の増減を容易に行うことができる。
【００１４】
請求項２の発明では、上記光通過天井部は、一部又は全体が光透過性材料からなりかつ上面に光反射面が形成された天井材と交換可能な光透過性天井材で構成されていることを特徴とする。
【００１５】
この請求項２の発明では、光通過天井部として、一部又は全体を光透過性材料からなる光透過性天井材を用いるため、この光透過性天井材と、上面に光反射面が形成された天井材とを交換するだけで、その光透過性天井材の位置を照明の位置に設定することができ、照明の位置を任意の位置に容易に変更することができる。そのことに加え、光透過性天井材の光透過性材料に意匠性の向上や光の透過度調整等を目的として、着色したり、表面に光が拡散したりするように加工を施しておくこともできるし、必要に応じて有害な紫外線等の光をカットする機能や、室内の温度上昇を防ぐため赤外線をカットする機能を付与させることができる。
【発明の効果】
【００１６】
以上説明のように、請求項１の発明によると、天井下地部に天井材がシステム天井工法により施工されて形成される天井ふところ部に面する天井下地部の下面と天井材の上面とにそれぞれ光反射面を設け、この天井ふところ部に採光口部から自然光を取り入れて天井ふところ部により建物内部に導き、その自然光を光通過天井部により天井材下側の室内に通過させるようにしたことにより、採光構造の施工時に別途の光ダクト装置の設置を不要として施工の短縮化及びコストダウンを図るとともに、自然光の利用によって省エネルギー化を図り、生体リズムにあった照明の実行を行うことができ、さらには、照明箇所の変更や照明箇所の増減の容易化を図ることができる。
【００１７】
請求項２の発明によると、光通過天井部は、上面に光反射面が形成された他の天井材と交換可能な光透過性天井材で構成したことにより、光透過性天井材と他の天井材との交換によって、照明を任意の位置に容易に変更することができるとともに、光透過性天井材により意匠性の向上や光の透過度調整等を図ることができる。
【発明を実施するための最良の形態】
【００１８】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１９】
図１及び図２は本発明の実施形態に係る採光構造を概略的に示し、１は建物のスラブ製等の建物躯体をなす天井下地部であって、この天井下地部１の下面には多数の吊りボルト４，４，…が所定の間隔をあけて埋め込んだ状態で垂設され、この各吊りボルト４にはハンガー５が上端部にて高さ調整可能に螺合されて垂下している。このハンガー５の下端部には、下端部にプレート状の係止フレーム部６ａを有する断面Ｔ字状のＴバー６が上端部にて吊り下げられ、このＴバー６下端部の係止フレーム部６ａには、例えば板状の天井材８が隣接するＴバー６の係止フレーム部６ａとの間に掛け渡された状態で固定支持されており、これら多数の天井材８，８，…は、天井下地部１の下面にハンガー５及びＴバー６によって吊下げ支持されて天井部を構成している。すなわち、天井材８，８，…はシステム天井工法により施工され、これら天井材８，８，…と天井下地部１との間に所定の高さを持つ天井ふところ部１０が形成されている。
【００２０】
図１に示すように、上記天井ふところ部１０の周囲側壁の一部であって、建物における自然光が射す外壁面や室内の壁面には採光口部１３が天井ふところ部１０に通じるように設けられている。この採光口部１３は例えば開口状のもので、気密性が要求される場合等、必要に応じてポリカーボネートやアクリル等のプラスチック、ガラス等の光透過性の高い材料が開口を閉塞するように取り付けられており（図１では閉塞状態を示している）、採光口部１３から天井ふところ部１０内に自然光を取り入れるようになっている。
【００２１】
また、隣接する建物がある等の理由により外壁面からの採光が困難な場合、上記採光口部１３として、筒体の内面に光反射層を設けた光源誘導ダクトや光ファイバー等、既知の自然光集光手段を用い、この自然光集光手段によって自然光を天井ふところ部１０内まで導くようにしてもよい。
【００２２】
さらに、図３に示すように、採光口部１３に、天井ふところ部１０内に光が導かれるように角度を調節した光反射板１４を設けて、集光するようにしてもよい。
【００２３】
上記天井ふところ部１０の天井下地部１の下面には上部光反射面１７が、また天井材８の上面には下部光反射面１８がそれぞれ形成されており、上記採光口部１３から天井ふところ部１０に入射した自然光をこれらの光反射面１７，１８により反射させながら建物内部（天井ふところ部１０において採光口部１３から離れた部分）に導くようにしている。
【００２４】
上記天井ふところ部１０上面の上部光反射面１７は、天井下地部１に例えば金属顔料を含む塗料や白色塗料等の光反射性の塗料を塗布し、或いは金属製シート、金属蒸着シート、鏡等の光反射性の材料を貼着する等の方法を用いることで、光反射面に形成される。
【００２５】
一方、天井材８にはロックウール板等を用いることができ、その上面に、金属顔料を含む塗料や白色塗料等の光反射性の塗料を塗布したり、金属製シート、金属蒸着シート、鏡等の光反射性の材料を貼着したりする等の方法により下部光反射面１８を形成する。この天井材８上面に下部光反射面１８を形成する処理は、施工現場で行ってもよいが、予め工場等で処理しておいた天井材８を使用する方が効率がよくて好ましい。
【００２６】
さらに、天井部には、上記天井ふところ部１０により建物内部に導かれた自然光を天井材８下側の室Ｒの内部に通過させる光通過天井部２０が設けられている。この光通過天井部２０は、例えば上記天井材８と同じ寸法の天井ルーバーパネル等の施工により形成されており、採光口部１３から取り入れられた自然光は、天井ふところ部１０上面の上部光反射面１７と天井ふところ部１０下面の下部光反射面１８とを反射しながら建物内に導かれた後に光通過天井部２０を通して室内の照明として用いられるようになっている。
【００２７】
上記光通過天井部２０は、上記天井ルーバーパネル等に代え、図４に示すように、一部又は全体（図示例では全体を示している）が光透過性材料からなる光透過性天井材８′で構成することもできる。この光透過性天井材８′は、上面に光反射面１８が形成された他の天井材８と同じ大きさであり、該他の天井材８と交換可能となっており、この交換を行うことで、天井材８が光透過性天井材８′に置き換えられて、その部分が照明となるようにしている。光透過性天井材８′に用いる光透過性材料には、例えばポリカーボネート、アクリル等のプラスチック製、ガラス製のもの等が使用できるが、重量等を考慮すると軽量のプラスチック製のものが好ましい。
【００２８】
したがって、この実施形態に係る採光構造においては、建物における自然光が射す外壁面や室内の壁面に採光口部１３が天井ふところ部１０に通じるように設けられているので、この採光口部１３から自然光が取り入れられて天井ふところ部１０内に入射する。そして、天井ふところ部１０には、その上面である天井下地部１の下面に上部光反射面１７が、また下面である天井材８の上面に下部光反射面１８がそれぞれ形成されて、これら光反射面１７，１８によって導光経路が設けられているので、上記採光口部１３から取り入れられて天井ふところ部１０に入射した自然光は、天井ふところ部１０内をその上下面である上部及び下部光反射面１７，１８で反射されながら建物内部に導かれ、その後、天井部に形成されている光通過天井部２０を通過して天井材８下側の室Ｒの内部に導かれる。
【００２９】
すなわち、この実施形態では、採光口部１３から取り入れられた自然光を天井ふところ部１０の光反射面１７，１８によって建物内に導いているので、光ダクト装置を別途に設置することなく自然光を室内に取り入れることができ、光ダクト装置の設置の不要化によって、採光構造を施工する際の工期を短縮することができる。しかも、光ダクト装置を設置する場合には、その光ダクト装置が天井ふところ部１０において空調ダクト等の他の機器や部材を設置する際の邪魔になるが、この実施形態ではそのようなことが生じず、さらにコストも抑えることができる。
【００３０】
また、天井部の光通過天井部２０を通過して自然光が室内に入るので、その光通過天井部２０の位置を室内の天井の照明を設けたい位置にレイアウトすることで、光通過天井部２０の通過光を主照明又は補助照明として利用することができる。
【００３１】
そして、例えば自然光が強く降り注ぐ晴れの日の昼間等の時間帯において、上記光通過天井部２０からの通過光を照明として利用することにより、電球等の人工照明の使用を減らすことができ、省エネルギー化を図ることができる。
【００３２】
また、上記実施形態の採光構造の採用により、通常は自然光が入り込まない建物内部の部屋に自然光を導入して照明することができ、人の生体リズムにあった照明を行うことができる。
【００３３】
さらに、吊下げ式の工法であるシステム天井工法を用いて天井材８を施工しているため、レイアウトの変更や、夏場に室内に光が入り込む量を減らして冷房効果を高めたい場合等、照明箇所の変更や照明箇所の増減を容易に行うことができる。
【００３４】
そして、上記光通過天井部２０として、一部又は全体を光透過性材料からなる光透過性天井材８′を用いると、以下の作用効果を奏することができる。すなわち、その光透過性天井材８′を、上面に光反射面１８が形成された他の天井材８に交換するだけで、その光透過性天井材８′の位置を照明の位置とすることができ、照明の位置を任意の位置に容易に変更することができる。
【００３５】
また、光透過性天井材８′の光透過性材料に着色加工や、表面に光が拡散するような加工を施すことができ、意匠性の向上や光の透過度の調整等を図ることができる。
【００３６】
さらに、この光透過性天井材８′の光透過性材料に、必要に応じて紫外線や赤外線等の光をカットする機能を既知の方法により付与することもでき、紫外線をカットする機能により、有害な紫外線等の光が室内に入るのを防ぐことができる。また、赤外線をカットする機能により、例えば室内の温度上昇を防ぐことができる。
【００３７】
（その他の実施形態）
尚、上記実施形態では、自然光を天井ふところ部１０を通して室内に導いて照明に利用するようにしているが、この導入された自然光による室内の照明の照度は、その日の天候等により左右され、天候が悪いときには人工照明と併用する必要がある。このように人工照明と併用する場合、例えば自然光による室内の照度を検出する照度センサと、この照度センサの出力信号に応じて人工照明の照度（強度）を調節するコントローラとを有する制御システムを設けておき、この制御システムにより照度センサで検出された室内の照度に応じて人工照明の照度を調節し、例えば曇りで自然光が弱いときには人工照明が強くなる一方、晴れで自然光が強いときには人工照明が弱くなるように調節して、室内の照度を一定に保つようにすることもできる。
【００３８】
また、上記実施形態では、天井下地部１の下面及び天井材８の上面にそれぞれ光反射面１７，１８を形成しているが、さらに、天井ふところ部１０内に位置する吊りボルト４、ハンガー５、Ｔバー６や、天井ふところ部１０内に設置される空調ダクトや配線類等の他の機器や部材の表面にも光反射面を形成してもよく、効率よく導光することができる。
【００３９】
さらに、上記実施形態では、Ｔバー６を用いて天井材８，８′を施工するシステム天井工法による天井ふところ部１０に適用しているが、本発明は他の構造の天井ふところ部にも適用することができるのは勿論である。
【産業上の利用可能性】
【００４０】
本発明は、建物内部への自然光の導入を簡単な構造で行うことができるので、システム天井工法が広く用いられているビルは勿論、一般住宅へも応用も考えられ、極めて有用で産業上の利用可能性が高い。
【図面の簡単な説明】
【００４１】
【図１】図１は、本発明の実施形態に係る採光構造を概略的に示す斜視図である。
【図２】図２は、天井ふところ部の要部を拡大して示す断面図である。
【図３】図３は、採光口部の変形例を示す断面図である。
【図４】図４は、光通過天井部として光透過性天井材を用いた変形例を示す図２相当図である。
【符号の説明】
【００４２】
Ｒ  室
１  天井下地部
８  天井材
８′  光透過性天井材
１０  天井ふところ部
１３  採光口部
１４  光反射板
１７  上部光反射面
１８  下部光反射面
２０  光通過天井部
【図１】
2007308989.tif 000003
【図２】
2007308989.tif 000004
【図３】
2007308989.tif 000005
【図４】
2007308989.tif 000006